(57)【要約】【課題】信号収録再生装置を提供する。【解決手段】基準信号発生部４００から出力される異なる周波数を有する複数の基準信号ｆｎを各周波数ｆｎに対する収録信号変換部本体１２ｎに入力する。収録信号変換部本体１２ｎは入力信号の変換ゲインＱを外部からの制御信号ｅｎに基づいて調整する可変アッテネータ１２ｎＡを備え、制御部２００は収録信号変換部本体１２ｎの出力誤差Ｚ（ｅｎ）が０となるように制御信号ｅｎを自動的に調整して収束させ、各周波数ｆｎに対する信号変換部本体１２ｎの変換ゲインＱを無線周波数信号の実収録前に較正する。【選択図】図１
2008219335.tif 000002
【特許請求の範囲】
【請求項１】
複数の無線周波数信号を所定の周波数毎に収録再生する信号収録再生装置であって、
複数の無線周波数信号を基準信号として前記周波数毎に出力する基準信号発生部と、
外部から印加される制御電圧により信号の変換ゲインの調整が可能であり、前記変換ゲインに基づいて入力された信号のレベル変換を前記周波数毎に行う複数の収録信号変換部と、
前記周波数毎の前記基準信号に対する前記収録信号変換部の前記制御電圧を自動的に調整して前記複数の前記収録信号変換部の前記変換ゲインのばらつきを補正し前記変換ゲインの較正を行う制御部と、
を備えることを特徴とする信号収録再生装置。
【請求項２】
前記制御部は、前記周波数毎に、前記基準信号に対する前記収録信号変換部の出力値と前記基準信号の出力値との差分が、前記収録信号変換部の前記変換ゲインの設計値と等しくなるように、前記収録信号変換部の前記制御電圧を前記無線周波数信号の実収録前に自動的に調整することを特徴とする請求項１に記載の信号収録再生装置。
【請求項３】
前記制御部は、二分法により前記収録信号変換部の前記制御電圧を収束させることを特徴とする請求項２または３に記載の信号収録再生装置。
【請求項４】
複数の無線周波数信号を基準信号として所定の周波数毎に出力する基準信号発生部と、
前記基準信号発生部から出力された基準信号を分配する信号分配部と、
前記信号分配部で分配された前記基準信号の周波数変換およびレベル変換を前記周波数毎に行う複数の収録信号変換部と、
前記複数の収録信号変換部毎に備えられ前記収録信号変換部の変換ゲインを外部から印加される制御電圧により調整する複数の収録信号変換ゲイン調整部と、
前記複数の収録信号変換部の出力信号をそれぞれＡＤ変換し出力する複数のＡＤ変換部と、
前記複数のＡＤ変換部の出力データを記憶する記憶部と、
前記基準信号発生部から前記周波数毎に前記基準信号を発生させ、前記基準信号の出力値と前記収録信号変換部の出力値と前記収録信号変換部の前記変換ゲインとに基づいて前記収録信号変換ゲイン調整部に出力する前記制御電圧を自動的に調整し、前記複数の収録信号変換部の前記変換ゲインのばらつきを補正し前記変換ゲインの較正を行う制御部と、
を備えることを特徴とする信号収録再生装置。
【請求項５】
前記制御部は、前記周波数毎に、前記基準信号に対する前記収録信号変換部の出力値と前記基準信号の出力値との差分が、前記収録信号変換部の前記変換ゲインの設計値と等しくなるように、前記収録信号変換ゲイン調整部の前記制御電圧を前記無線周波数信号の実収録前に自動的に調整することを特徴とする請求項４に記載の信号収録再生装置。
【請求項６】
前記制御部は、二分法により前記収録信号変換ゲイン調整部の前記制御電圧を収束させることを特徴とする請求項４または５に記載の信号収録再生装置。
【発明の詳細な説明】
【技術分野】
【０００１】
本発明は、信号収録再生装置に関するものである。
【背景技術】
【０００２】
さまざまな放送信号に対して開発された受信機の性能評価を行うにあたって、特に受信機を車載する場合、車両の移動環境下におけるフィールドテストは重要な項目である。しかしながら、このフィールドテストは準備や評価に膨大な時間と工数を必要とし、さらに同様のフィールドテストを行った場合でも再現性が保たれにくく、同様の評価結果が得られない場合がある、という問題点があった。この問題を解決するために、一度移動環境下で放送信号を取得すれば、実験室において移動環境下での放送信号を同一に再現することが可能な信号収録再生装置が提案されている（特許文献１）。
【特許文献１】特願２００６−１３８８９５
【発明の開示】
【発明が解決しようとする課題】
【０００３】
しかしながら、このような信号収録再生装置では、周波数の異なる複数の放送信号に対して各放送信号をレベル変換し周波数変換を行う複数の信号変換部が周波数特性を有し、各信号変換部が扱う周波数によって変換ゲインにばらつきがある。また、信号変換部における回路素子の特性にも個体差があり、変換ゲインにばらつきがある。このため、放送信号の出力レベルを同一条件で収録することができない。したがって、収録した放送信号を再生する際に原信号の出力レベルを正しく再現できず、受信機の性能評価の評価精度を落としてしまう、という問題がある。
【０００４】
本発明の課題は、放送信号の収録を行う前に、周波数の異なる複数の放送信号に対する複数の信号変換部の変換ゲインのばらつきの補正を自動的に行って複数の信号変換部の変換ゲインの較正を行い、放送信号の収録が精度高く行われる信号収録再生装置を提供することにある。
【課題を解決するための手段】
【０００５】
上記課題を解決するために、請求項１に記載の発明は、複数の無線周波数信号を所定の周波数毎に収録再生する信号収録再生装置であって、複数の無線周波数信号を基準信号として前記周波数毎に出力する基準信号発生部と、外部から印加される制御電圧により信号の変換ゲインの調整が可能であり、前記変換ゲインに基づいて入力された信号のレベル変換を前記周波数毎に行う複数の収録信号変換部と、前記周波数毎の前記基準信号に対する前記収録信号変換部の前記制御電圧を自動的に調整して前記複数の前記収録信号変換部の前記変換ゲインのばらつきを補正し前記変換ゲインの較正を行う制御部と、を備えることを特徴としている。
【０００６】
上記構成によれば、放送信号の収録を行う前に、周波数の異なる複数の放送信号に対する複数の信号変換部の変換ゲインの較正が自動的に行われ、放送信号の収録を精度高く行うことができる。
【０００７】
また、請求項２に記載の発明は、請求項１において、前記制御部は、前記周波数毎に、前記基準信号に対する前記収録信号変換部の出力値と前記基準信号の出力値との差分が、前記収録信号変換部の前記変換ゲインの設計値と等しくなるように、前記収録信号変換部の前記制御電圧を前記無線周波数信号の実収録前に自動的に調整することを特徴としている。
【０００８】
上記構成によれば、無線周波数信号の実収録前に、数式に基づいて収録信号変換部の変換ゲインを簡単に調整することができる。
【０００９】
また、請求項３に記載の発明は、請求項１または２において、前記制御部は、二分法により前記収録信号変換部の前記制御電圧を収束させることを特徴としている。
【００１０】
上記構成によれば、二分法により制御電圧を簡単に収束させることができる。
【００１１】
また、請求項４に記載の発明は、複数の無線周波数信号を基準信号として所定の周波数毎に出力する基準信号発生部と、前記基準信号発生部から出力された基準信号を分配する信号分配部と、前記信号分配部で分配された前記基準信号の周波数変換およびレベル変換を前記周波数毎に行う複数の収録信号変換部と、前記複数の収録信号変換部毎に備えられ前記収録信号変換部の変換ゲインを外部から印加される制御電圧により調整する複数の収録信号変換ゲイン調整部と、前記複数の収録信号変換部の出力信号をそれぞれＡＤ変換し出力する複数のＡＤ変換部と、前記複数のＡＤ変換部の出力データを記憶する記憶部と、前記基準信号発生部から前記周波数毎に前記基準信号を発生させ、前記基準信号の出力値と前記収録信号変換部の出力値と前記収録信号変換部の前記変換ゲインとに基づいて前記収録信号変換ゲイン調整部に出力する前記制御電圧を自動的に調整し、前記複数の収録信号変換部の前記変換ゲインのばらつきを補正し前記変換ゲインの較正を行う制御部と、を備えることを特徴としている。
【００１２】
上記構成によれば、放送信号の収録を行う前に、周波数の異なる複数の放送信号に対する複数の信号変換部の変換ゲインの較正が自動的に行われ、放送信号の収録を精度高く行うことができる。
【００１３】
また、請求項５に記載の発明は、請求項４において、前記制御部は、前記周波数毎に、前記基準信号に対する前記収録信号変換部の出力値と前記基準信号の出力値との差分が、前記収録信号変換部の前記変換ゲインの設計値と等しくなるように、前記収録信号変換ゲイン調整部の前記制御電圧を前記無線周波数信号の実収録前に自動的に調整することを特徴としている。
【００１４】
上記構成によれば、無線周波数信号の実収録前に、数式に基づいて収録信号変換部の変換ゲインを簡単に調整することができる。
【００１５】
また、請求項６に記載の発明は、請求項４または５において、前記制御部は、二分法により前記収録信号変換ゲイン調整部の前記制御電圧を収束させることを特徴としている。
【００１６】
上記構成によれば、二分法により制御電圧を簡単に収束させることができる。
【発明の効果】
【００１７】
本発明の課題は、放送信号の収録を行う前に、周波数の異なる複数の放送信号に対する複数の信号変換部の変換ゲインのばらつきの補正を自動的に行って複数の信号変換部の変換ゲインの較正を行い、放送信号の収録が精度高く行われる信号収録再生装置を提供することができる。
【発明を実施するための最良の形態】
【００１８】
以下、本発明の実施形態を図面に従って説明する。
【００１９】
本発明の実施形態における信号収録再生装置は、信号収録部と信号再生部とを備えている。
【００２０】
図１に信号収録部のブロック図を示す。
【００２１】
信号収録部は、信号収録部本体１００、制御部２００、制御電圧ＤＡ変換部３００、基準信号発生部４００、信号入力スイッチ５００、表示部６００を備えている。
【００２２】
信号収録部本体１００は、信号分配部１１０、収録信号変換部１２０、ＡＤ変換部１３０で構成されている。
【００２３】
信号分配部１１０は、基準信号発生部４００から出力される周波数ｆｎ（ｎ＝１〜Ｎとする）を持つ基準信号（以降、基準信号ｆｎと記載）を分配し、収録信号変換部１２０に出力する。ここで、基準信号ｆｎを識別する識別子ｎを以後チャネルと呼ぶものとする。
【００２４】
収録信号変換部１２０は、各チャネルｎ毎に、周波数ｆｎに対応する収録信号変換部本体１２ｎを備えている。収録信号変換部本体１２ｎは、取り込んだ周波数ｆｎの基準信号の信号レベルを変換して調整するとともに、以降の処理に必要な周波数変換、例えば無線信号処理で一般的な中間周波数への変換等を行う。ここで、収録信号変換部本体１２ｎには、収録信号変換ゲイン調整部である可変アッテネータ１２ｎＡが備えられており、制御電圧ＤＡ変換部３００から出力される制御電圧ｅｎに基づいて信号レベルの調整に必要な信号の変換ゲインが設定される。
【００２５】
ＡＤ変換部１３０は、各収録信号変換部本体１２ｎの出力信号をＡＤ変換するＡＤ変換部本体１３１〜１３Ｎを備えており、各収録信号変換部本体１２ｎの出力信号をＡＤ変換して制御部２００へ出力する。
【００２６】
制御部２００は、ＡＤ変換部１３０の出力信号を入力信号として取り込み記憶する記憶部２１０を備えている。また、後述する出力誤差Ｚ（ｅｎ）を算出し、算出結果に基づいて、各収録信号変換部本体１２ｎの変換ゲインを調整するために必要な各可変アッテネータ１２ｎＡの制御電圧ｅｎを制御電圧ＤＡ変換部３００に出力する。また、信号入力スイッチ５００のオンオフを行う。さらに、記憶部２１０に記憶した信号を信号再生部に出力する。なお、信号再生部は信号収録部で行った信号処理と逆の手順で信号処理を行い収録した信号を再生するもので、図示および説明は省略する。
【００２７】
制御電圧ＤＡ変換部３００は、制御部２００から出力された各可変アッテネータ１２ｎＡの制御電圧ｅｎをＤＡ変換してアナログ信号とし、各可変アッテネータ１２ｎＡへ出力する。各可変アッテネータ１２ｎＡは、この制御電圧ｅｎに基づいて、変換ゲインを設定し、各収録信号変換部本体１２ｎの変換ゲインが決定される。
【００２８】
基準信号発生部４００は、制御部２００により制御され、あらかじめ設定された複数の周波数ｆｎ（ｎ＝１〜Ｎ）の基準信号を単独で出力する。各周波数ｆｎは、フィールドテストにおいて収録する信号の周波数に含まれる周波数である。
【００２９】
信号入力スイッチ５００は、各収録信号変換部本体１２ｎの変換ゲインを設定する際に、制御部２００によりオンとされ、各収録信号変換部本体１２ｎの変換ゲインの設定が終了すると、制御部２００によりオフとされる。
【００３０】
表示部６００は、適切な変換ゲインの設定が実施できない際に、制御部２００が出力するメッセージを表示する。
【００３１】
次に、本発明で行う可変アッテネータ１２ｎＡの制御電圧ｅｎの調整についての説明を行う。
【００３２】
収録時における信号の電力の理想的な入出力関係は、次式で表すことができる。
【００３３】
Ｗ（ｆｎ）＋Ｑ＝Ｘ（ｆｎ）  （ｎ＝１〜Ｎ）                   （数式１）
ここで、Ｗ（ｆｎ）は基準信号発生部４００の出力信号、Ｑは収録信号変換部本体１２ｎにおける信号の変換ゲインの設計値である。また、Ｘ（ｆｎ）はＡＤ変換部本体１３ｎの出力であり、ＡＤ変換データをｘｉ（ｉ＝１〜Ｋ、Ｋはサンプル数）、ＡＤ変換のビット数をＪとすると、次式で表される。
【００３４】
Ｘ（ｆｎ）＝１０ｌｏｇ１０（２Σ（ｘｉ／２Ｊ−１）２）              （数式２）
ここで、収録信号変換部本体１２ｎによる信号の変換ゲインＱは全周波数において一定であるのが理想的であるが、実際には、周波数特性を有し、周波数毎に変換ゲインＱにばらつきがある。また、収録信号変換部本体１２ｎにおける回路素子の特性にも個体差があり、変換ゲインＱにばらつきがある。この変換ゲインＱのばらつきをΔＱ（ｆｎ）とすると、収録時における実際の信号の入出力関係は、次式で表すことができる。
【００３５】
Ｗ（ｆｎ）＋｛Ｑ＋ΔＱ（ｆｎ）｝＝Ｘ（ｆｎ）  （ｎ＝１〜Ｎ） （数式３）
すなわち、
Ｗ（ｆ１）＋｛Ｑ＋ΔＱ（ｆ１）｝＝Ｘ（ｆ１）                 （数式４）
Ｗ（ｆ２）＋｛Ｑ＋ΔＱ（ｆ２）｝＝Ｘ（ｆ２）                 （数式５）
：
Ｗ（ｆＮ）＋｛Ｑ＋ΔＱ（ｆＮ）｝＝Ｘ（ｆＮ）                 （数式６）
したがって、収録信号変換部本体１２ｎの出力値Ｘ（ｆｎ）は、周波数毎に変換ゲインＱのばらつきΔＱ（ｆｎ）を含んでしまっているため、収録した信号を再生する際にこの変換ゲインＱのばらつきΔＱ（ｆｎ）を含んだ信号が再生されてしまい、原信号の出力レベルを忠実に再生することができない。
【００３６】
この周波数毎の変換ゲインのばらつきΔＱ（ｆｎ）の影響を排除するため、各収録信号変換部本体１２ｎに可変アッテネータ１２ｎＡを設け、収録信号変換部本体１２ｎにおける変換ゲインＱの調整を行う。可変アッテネータ１２ｎＡによる変換ゲインＱ、すなわち信号の減衰量は、可変アッテネータ１２ｎＡに入力される制御電圧ｅｎによって調整され、この信号の減衰量をαｎ（ｅｎ）とすると、次式が成り立つ。
【００３７】
Ｗ（ｆｎ）＋｛Ｑ＋ΔＱ（ｆｎ）｝−αｎ（ｅｎ）＝Ｘ（ｆｎ）  （ｎ＝１〜Ｎ）                                                                （数式７）
すなわち、
Ｗ（ｆ１）＋｛Ｑ＋ΔＱ（ｆ１）｝−α１（ｅ１）＝Ｘ（ｆ１）   （数式８）
Ｗ（ｆ２）＋｛Ｑ＋ΔＱ（ｆ２）｝−α２（ｅ２）＝Ｘ（ｆ２）   （数式９）
：
Ｗ（ｆＮ）＋｛Ｑ＋ΔＱ（ｆＮ）｝−αＮ（ｅＮ）＝Ｘ（ｆＮ）   （数式１０）
ここで、ＳＹＳｒ（ｆｎ、ｅｎ）＝｛Ｑ＋ΔＱ（ｆｎ）｝−αｎ（ｅｎ）とすると、
Ｗ（ｆｎ）＋ＳＹＳｒ（ｆｎ、ｅｎ）＝Ｘ（ｆｎ）  （ｎ＝１〜Ｎ）（数式１１）
となり、周波数毎の変換ゲインＱのばらつきΔＱ（ｆｎ）の影響を排除するためには、（数式１１）が（数式１）となる、すなわち、
ＳＹＳｒ（ｆｎ、ｅｎ）＝Ｑ  （ｎ＝１〜Ｎ）                   （数式１２）
となるように、制御電圧ｅｎを調整して可変アッテネータ１２ｎＡによる信号の減衰量αｎ（ｅｎ）を設定すればよい。すなわち、
｛Ｑ＋ΔＱ（ｆｎ）｝−αｎ（ｅｎ）＝Ｑ  （ｎ＝１〜Ｎ）        （数式１３）
ここで、αｎ（ｅｎ）は信号の減衰量であり、正の値をとることから、ΔＱ（ｆｎ）は正の値であることになるが、この条件は各収録信号変換部本体１２ｎの信号の変換ゲインＱの設定条件で満たされているものとする。
【００３８】
制御電圧ｅｎを調整して可変アッテネータ１２ｎＡによる信号の減衰量αｎ（ｅｎ）を適切に設定した場合は、数式１３が成立することになるので、数式７と数式１３から、次式が導かれる。
【００３９】
Ｗ（ｆｎ）＋Ｑ＝Ｘ（ｆｎ）  （ｎ＝１〜Ｎ）                   （数式１４）
この式は数式１と同じであり、収録時における信号の理想的な入出力関係が成立することになる。
【００４０】
実際の処理においては、Ｗ（ｆｎ）は算出でき、Ｘ（ｆｎ）は計測でき、Ｑは設計値であるから、数式１４を変形して、
Ｚ（ｅｎ）＝Ｘ（ｆｎ）−Ｗ（ｆｎ）−Ｑ  （ｎ＝１〜Ｎ）       （数式１５）
とし、Ｚ（ｅｎ）→０となるように可変アッテネータ１２ｎＡの制御電圧ｅｎを調整すればよい。
【００４１】
次に、図３のフローチャートに基づいて、制御電圧ｅｎを自動調整し、各収録信号変換部本体１２ｎの変換ゲインを設定する動作(以降、信号レベル較正処理と呼ぶ)のフローの説明を行う。以下の説明では、各収録信号変換部本体１２ｎの変換ゲインを調整する各可変アッテネータ１２ｎＡの制御電圧ｅｎを収束させる方法として、いわゆる二分法を用いている。
【００４２】
ステップＳ１０１では、制御部２００が信号入力スイッチ５００をオンにする。これにより、周波数ｆｎ（ｎ＝１〜Ｎ）の基準信号が信号収録部本体１００に入力される。この後に、フローはステップＳ１０２へ移行する。
【００４３】
ステップＳ１０２では、基準信号のチャネルを表す識別子ｎにｎ＝１が設定される。この後に、フローはステップＳ１０３へ移行する。
【００４４】
ステップＳ１０３では、基準信号ｆ１、ｆ２、・・・、ｆＮのうち、ｆｎ（ステップＳ１０２の後ではｆ１、後述するステップＳ１１３の後ではステップＳ１１２で設定されたｎに対するｆｎ）が選択される。この後に、フローはステップＳ１０４へ移行する。
【００４５】
ステップＳ１０４では、選択されたｆｎに対する収録信号変換部本体１２ｎにおいて、可変アッテネータ１２ｎＡの制御電圧ｅｎの最小値ｅ＿ｍｉｎに対する出力誤差Ｚｎ（ｅ＿ｍｉｎ）が制御部２００で算出され、Ｚｎ（ｅ＿ｍｉｎ）の値が０未満か否かの判定が行われる。Ｚｎ（ｅ＿ｍｉｎ）の算出については、図４、５で説明を行う。Ｚｎ（ｅ＿ｍｉｎ）の値が０未満の場合は、収録信号変換部本体１２ｎの変換ゲインが不足しており、可変アッテネータ１２ｎＡの制御電圧ｅｎを最小にしても出力誤差Ｚｎ（ｅ＿ｍｉｎ）が０にならないことに相当する。このため、フローはステップＳ１１４に移行し、収録信号変換部本体１２ｎの変換ゲインを上げる指示がなされる。一方、出力誤差Ｚｎ（ｅ＿ｍｉｎ）の値が０以上の場合は、可変アッテネータ１２ｎＡの制御電圧ｅｎを最小にした場合に出力誤差Ｚｎ（ｅ＿ｍｉｎ）が０以上となる変換ゲインを収録信号変換部本体１２ｎが備えていることに相当する。このため、フローはステップＳ１０５に移行し、可変アッテネータ１２ｎＡの制御電圧ｅｎを最大にした場合の収録信号変換部本体１２ｎの出力値の判定を行う。
【００４６】
ステップＳ１０５では、選択されたｆｎに対する収録信号変換部本体１２ｎにおいて、可変アッテネータ１２ｎＡの制御電圧ｅｎの最大値ｅ＿ｍａｘに対する出力誤差Ｚｎ（ｅ＿ｍａｘ）が制御部２００で算出され、Ｚｎ（ｅ＿ｍａｘ）の値が０より大きいか否かの判定が行われる。Ｚｎ（ｅ＿ｍａｘ）の値が０より大きい場合は、収録信号変換部本体１２ｎの変換ゲインが過大であり、可変アッテネータ１２ｎＡの制御電圧ｅｎを最大にすると出力誤差Ｚｎ（ｅ＿ｍａｘ）が０を超えてしまうことに相当する。このため、フローはステップＳ１１５に移行し、収録信号変換部本体１２ｎの変換ゲインを下げる指示がなされる。一方、Ｚｎ（ｅ＿ｍａｘ）の値が０以下の場合は、可変アッテネータ１２ｎＡの制御電圧ｅｎを最大にした場合に出力誤差Ｚｎ（ｅ＿ｍａｘ）が０となる変換ゲインを信号変換部本体１２ｎが備えていることに相当し、収録信号変換部本体１２ｎの変換ゲインが適切であることを意味する。この後に、フローはステップＳ１０６へ移行する。
【００４７】
ステップＳ１０６では、設定、算出したパラメータが制御部２００の記憶部２１０に記憶される。すなわち、メモリｅ＿Ｌには可変アッテネータ１２ｎＡの制御電圧ｅｎの最大値ｅ＿ｍａｘが格納され、メモリｅ＿Ｓには可変アッテネータ１２ｎＡの制御電圧ｅｎの最小値ｅ＿ｍｉｎが格納され、メモリＺ＿Ｌには可変アッテネータ１２ｎＡの制御電圧ｅｎが最大値ｅ＿ｍａｘの場合の収録信号変換部本体１２ｎの出力誤差Ｚｎ（ｅ＿ｍａｘ）が格納され、メモリＺ＿Ｓには可変アッテネータ１２ｎＡの制御電圧ｅｎが最小値ｅ＿ｍｉｎの場合の収録信号変換部本体１２ｎの出力誤差Ｚｎ（ｅ＿ｍｉｎ）が格納される。この後に、フローはステップＳ１０７へ移行する。
【００４８】
ステップＳ１０７では、ｅ＿Ｌとｅ＿Ｓの値の中間値ｅ＿Ｍがｅ＿Ｍ＝（ｅ＿Ｌ＋ｅ＿Ｓ）／２として算出され、同様にＺ＿ＬとＺ＿Ｓの値の中間値Ｚ＿ＭがＺ＿Ｍ＝（Ｚ＿Ｌ＋Ｚ＿Ｓ）／２として算出される（図４、５参照）。この後に、フローはステップＳ１０８へ移行する。
【００４９】
ステップＳ１０８では、ステップＳ１０７で算出されたＺ＿Ｍの絶対値が所定値ｄＺ以下であるか否かが判定される。通常、ｄＺ＝０であるが、ここでは観測外乱を考慮し、微小レベルｄＺ（＞０）を判定基準としている。Ｚ＿Ｍの絶対値が所定値ｄＺ以下の場合は、制御電圧ｅｎ＝ｅ＿Ｍの際に収録信号変換部本体１２ｎの出力誤差Ｚｎ（ｅ＿Ｍ）が微小レベルである、すなわち、制御電圧ｅｎが適切に設定されたことを意味し、次の周波数ｆｎにおける信号レベル較正処理を行うために、フローはステップＳ１１２へ移行する。
【００５０】
一方、Ｚ＿Ｍの絶対値が所定値ｄＺ以下とならない場合は、制御電圧ｅｎ＝ｅ＿Ｍの際に収録信号変換部本体１２ｎの出力誤差Ｚｎ（ｅ＿Ｍ）が微小レベルとならない、すなわち、制御電圧ｅｎが適切に設定されていないことを意味し、制御電圧ｅｎを適切な値とするため、フローはステップＳ１０９へ移行する。
【００５１】
ステップＳ１０９では、ステップＳ１０７で算出されたＺ＿Ｍの値による分岐処理が行われる。Ｚ＿Ｍ＞ｄＺでない場合は、フローはステップＳ１１０へ移行する。一方、Ｚ＿Ｍ＞ｄＺの場合は、フローはステップＳ１１１へ移行する。
【００５２】
ステップＳ１１０では、算出したｅ＿Ｍ、Ｚ＿Ｍをそれぞれ新たなｅ＿Ｓ、Ｚ＿Ｓとするため、代入が行われる。この代入後、再びステップＳ１０７でｅ＿Ｍ、Ｚ＿Ｍを算出することにより、図４に示すように、Ｚ＿Ｍは次第に０に近づき、同様の処理（二分法）を繰り返すことによって、Ｚ＿Ｍを０に収束させることが可能となる。
【００５３】
ステップＳ１１１では、算出したｅ＿Ｍ、Ｚ＿Ｍをそれぞれ新たなｅ＿Ｌ、Ｚ＿Ｌとするため、代入が行われる。この代入後、再びステップＳ１０７でｅ＿Ｍ、Ｚ＿Ｍを算出することにより、図５に示すように、Ｚ＿Ｍは次第に０に近づき、同様の処理を繰り返すことによって、Ｚ＿Ｍを０に収束させることが可能となる。
【００５４】
ステップＳ１１２では、算出した制御電圧ｅ＿Ｍを記憶部２１０に記憶する。また、基準信号のチャネルを表す識別子ｎを＋１加算する。この後に、フローはステップＳ１１３へ移行する。
【００５５】
ステップＳ１１３では、すべてのチャネル１〜Ｎについて信号レベル較正処理が行われたか否かの判別が行われる。すべてのチャネル１〜Ｎについて信号レベル較正処理が行われた場合は、フローはステップＳ１１７へ移行する。一方、信号レベル較正処理を行っていないチャネルｎがある場合は、フローはステップＳ１０３に戻り、再度信号レベル較正処理が行われる。
【００５６】
ステップＳ１１４では、収録信号変換部本体１２ｎの変換ゲインＱが不足しており、可変アッテネータ１２ｎＡの制御電圧ｅｎを最小にしても出力誤差Ｚｎ（ｅ＿ｍｉｎ）が０にならない場合に相当し、制御部２００は「チャネルｎの収録信号変換部本体の変換ゲインをーＺｎ（ｅ＿ｍｉｎ）ｄＢ以上上げるように調整して下さい。」等のメッセージを表示部６００に表示する。この後に、フローはステップＳ１１６へ移行する。
【００５７】
ステップＳ１１５では、収録信号変換部本体１２ｎの変換ゲインが過大であり、可変アッテネータ１２ｎＡの制御電圧ｅｎを最大にすると出力誤差Ｚｎ（ｅ＿ｍａｘ）が０を超えてしまう場合に相当し、制御部２００は「チャネルｎの収録信号変換部本体の変換ゲインをＺｎ（ｅ＿ｍａｘ）ｄＢ以上下げるように調整して下さい。」等のメッセージを表示部６００に表示する。この後に、フローはステップＳ１１６へ移行する。
【００５８】
ステップＳ１１６では、収録信号変換部本体１２ｎの変換ゲインＱが適切ではなく、信号レベル較正処理が行えないことから、制御部２００は「信号レベル較正処理に問題があります。」等のメッセージを表示部６００に表示する。この後に、フローはステップＳ１１７へ移行する。
【００５９】
ステップＳ１１７では、信号レベル較正処理を終了するため、制御部２００は信号入力スイッチ５００をオフにする。この後に、フローはステップＳ１１８へ移行する。
【００６０】
ステップＳ１１８で、信号レベル較正処理が終了する。
【００６１】
図３に、制御部２００における収録信号変換部本体１２ｎの出力誤差Ｚｎ（ｅｎ）の算出処理のフローチャートを示す。
【００６２】
ステップＳ２０１では、選択されたｆｎに対する可変アッテネータ１２ｎＡの制御電圧ｅｎがあらかじめ設定した初期値ｅに設定される。この後に、フローはステップＳ２０２へ移行する。
【００６３】
ステップＳ２０２では、基準信号発生部４００から周波数ｆｎの基準信号が出力される。この後に、フローはステップＳ２０３へ移行する。
【００６４】
ステップＳ２０３では、周波数ｆｎに対応する収録信号変換部本体１２ｎの出力がＡＤ変換部本体１３ｎによりＡＤ変換され、制御部２００によりサンプリングデータが取得される。この後に、フローはステップＳ２０４へ移行する。
【００６５】
ステップＳ２０４では、取得したサンプリングデータを用いて、ＡＤ変換部本体１３ｎの出力値Ｘｎが算出される。この後に、フローはステップＳ２０５へ移行する。
【００６６】
ステップＳ２０５では、収録信号変換部本体１２ｎの出力誤差Ｚｎ（ｅｎ）＝ＸｎーＷ（ｆｎ）−Ｑが算出される。この後に、フローはステップＳ２０６へ移行する。
【００６７】
ステップＳ２０６で、収録信号変換部本体１２ｎの出力誤差Ｚｎ（ｅｎ）の算出処理が終了する。
【００６８】
以上の動作により、各可変アッテネータ１２ｎＡの制御電圧ｅｎが各チャネル毎に設定され、周波数ｆｎに応じた変換ゲインＱが各収録信号変換部本体１２ｎにおいて無線周波数信号の実収録前に自動的に適切に設定される（信号レベル較正処理）。
【００６９】
また、この信号レベル較正処理の過程において、収録信号変換部本体１２ｎの変換ゲインＱが適切であるか否かの判定が行われ、収録信号変換部本体１２ｎの変換ゲインＱが適切でない状態、すなわち、故障状態を検出することができ、フィールドテストの効率を向上することができる。
【００７０】
以上、本発明の実施例を図面により詳述したが、実施例は本発明の例示にしか過ぎず、本発明は実施例の構成にのみ限定されるものではない。したがって本発明の要旨を逸脱しない範囲の設計の変更等があっても本発明に含まれることはもちろんである。
【００７１】
例えば、ブロック図は図１に示すものに限定されるものではない。
【図面の簡単な説明】
【００７２】
【図１】本発明の実施形態のブロック図である。
【図２】本発明の実施形態における信号レベル較正処理のフローチャートである。
【図３】本発明の実施形態における収録信号変換部本体の出力誤差算出のフローチャートである。
【図４】本発明の実施形態において、制御電圧の収束の様子を示す説明図である。
【図５】本発明の実施形態において、制御電圧の収束の様子を示す他の説明図である。
【符号の説明】
【００７３】
１００  信号収録部本体
１１０  信号分配部
１２０  収録信号変換部
１２１〜１２Ｎ  収録信号変換部本体
１２１Ａ〜１２ＮＡ  可変アッテネータ（収録信号変換ゲイン調整部）
１３０  ＡＤ変換部
１３１〜１３Ｎ  ＡＤ変換部本体
２００  制御部
２１０  記憶部
３００  制御電圧ＤＡ変換部
４００  基準信号発生部
５００  信号入力スイッチ
６００  表示部
【図１】
2008219335.tif 000003
【図２】
2008219335.tif 000004
【図３】
2008219335.tif 000005
【図４】
2008219335.tif 000006
【図５】
2008219335.tif 000007